(57)【要約】本発明は、筆記用の先端（１６）が通過する穴（１４）を有する本体（１０）と、支持体（３２）と、湾曲した軌跡に沿って案内されるストリップ（２２）とから成る筆記用具に関する。さらに、支持体（３２）の連結されたボタン（３４）は、支持体（３２）およびストリップ（２２）が格納位置に来る穴（１４）に対する遠位位置（ｉ）と、支持体（３２）およびストリップ（２２）が筆記位置に来る穴（１４）に対する近位位置（ｊ）との間を長穴（１８）の長さに沿って移動することができる。本発明によれば、本体（１０）は主として平らであり、穴（１４）は、側面（１０ｃ）上に設けられ、ストリップ（２２）が側面（１０ｃ）に沿って筆記位置と格納位置との間を移動する。
2007522976.tif 000002
【特許請求の範囲】
【請求項１】
筆記用の先端（１６）が長手方向に沿って通過する開口部（１４）、およびほぼ前記長手方向に沿って延びる長穴（１８）を有する本体（１０）と、
前記先端（１６）が取り付けられ、前記本体（１０）内部に配置され、前記先端（１６）が前記本体の外側に移動させられる筆記位置と前記先端（１６）が前記本体（１０）内部に格納される格納位置との間を前記長手方向に沿って移動することができる支持体（３２）と、
前記支持体（３２）に固定された始部（２４）、中央部（２６）、湾曲経路に沿って案内される端部（２８）を有し、可とう性であり、２つの位置、すなわちストリップが前記開口部（１４）に接近する筆記位置および前記ストリップが前記開口部（１４）を閉鎖する格納位置との間を移動することができるストリップ（２２）と、
ボタン（３４）とを有する筆記用具であって、
前記ボタン（３４）は、前記支持体（３２）に連結され、前記支持体（３２）および前記ストリップ（２２）が前記格納位置に来る前記開口部に対する遠位位置と、前記支持体（３２）および前記ストリップ（２２）が前記筆記位置に来る前記開口部（１４）に対する近位位置との間を前記長穴（１８）に沿って移動することができ、
前記本体（１０）は、ほぼ平らな形状の筆記用具を形成するように、高さが低い少なくとも１つの側面（１０ｃ）によって連結された下面（１０ｂ）および上面（１０ａ）を有し、
前記長穴（１８）は、前記上面（１０ａ）および前記下面（１０ｂ）の一方に形成され、前記開口部（１４）は前記側面（１０ｃ）に形成され、前記ストリップ（２２）の前記端部（２８）が、前記側面に沿って前記筆記位置と前記格納位置との間を移動することを特徴とする筆記用具。
【請求項２】
前記ボタン（３４）は、前記長穴（１８）を通過し、前記ストリップ（２２）の前記始部（２４）に垂直なタング（３７）によって固定されたラグ（３６）によって支持体に連結される、請求項１に記載の筆記用具。
【請求項３】
前記ラグ（３６）、前記タング（３７）、および前記ストリップ（２２）は、１つの部材として作られる、請求項１または２に記載の筆記用具。
【請求項４】
前記上面（１０ａ）および前記下面（１０ｂ）はほぼ卵形である、請求項１ないし３のいずれか１項に記載の筆記用具。
【請求項５】
前記ボタン（３４）は、前記格納位置で前記長穴を全体的に覆うのに適した長さにわたって前記ラグ（３６）から延びる、前記本体（１０）に面する表面を有する、請求項２ないし４のいずれか１項に記載の筆記用具。
【請求項６】
前記支持体は、それが前記筆記位置の方へ移動する際に前記本体の前記内壁に当たる、請求項１から５のいずれか一項に記載の筆記用具。
【請求項７】
前記ストリップの前記端部（２８）は、前記筆記位置で、筆記用の前記先端を通過させるように前記開口部に面するように位置させられる細長い窓を有する、請求項１ないし６のいずれか１項に記載の筆記用具。
【請求項８】
前記ストリップ（２２）の前記始部（２４）は、Ｕの字形に湾曲しており、前記ボタン（３４）を並進させると、前記ストリップの前記始部（２４）が同じ方向に移動し、前記ストリップの前記端部（２８）が逆方向に移動する、請求項１ないし７のいずれか１項に記載の筆記用具。
【請求項９】
前記ストリップ（２２）の前記始部（２４）は、前記中央部（２６）に斜めに連結され、前記ボタン（３４）を並進させると、同じ方向に、前記始部（２４）が並進し前記中央部（２６）および前記端部（２８）が移動する、請求項１ないし７のいずれか１項に記載の筆記用具。
【請求項１０】
筆記用の前記先端（１６）はフェルトチップである、請求項１ないし９のいずれか１項に記載の筆記用具。
【発明の詳細な説明】
【技術分野】
【０００１】
本発明は、筆記用具に関する。
【０００２】
特に、本発明は、筆記用の先端が長手方向に沿って通過する開口部、およびほぼ長手方向に沿って延びる長穴を有する本体と、先端が取り付けられ、本体内部に配置され、先端が本体の外側に移動させられる筆記位置と先端が本体内部に格納される格納位置との間を長手方向に沿って移動することができる支持体と、支持体に固定された始部、中央部、湾曲経路に沿って案内される端部を有し、可とう性であり、２つの位置、すなわちストリップが開口部に接近する筆記位置およびストリップが開口部を閉鎖する格納位置との間を移動することができるストリップと、ボタンとを有する筆記用具に関する。
【背景技術】
【０００３】
文献ＤＥ  ８７  ０７  ２２６  Ｕは、ストリップが一方の端部の所でボタンに固定され、他方の端部の所で支持体に固定されたそのような筆記用具の例を記載している。筆記用具は、本体の内側でストリップの移動を案内する手段を含んでいる。ボタンの移動は、ボタンの移動が筆記用の先端の移動と逆になるようにストリップを介して支持体に伝達される。使用者は、筆記中に開口部から離れた位置にボタンを維持しなければならない。これは快適ではない。
【発明の開示】
【発明が解決しようとする課題】
【０００４】
本発明の目的は、特に、この欠点を軽減することである。
【課題を解決するための手段】
【０００５】
したがって、本発明によれば、この種類の用具は、ボタンが、支持体に連結され、支持体およびストリップが格納位置に来る開口部に対する遠位位置と、支持体およびストリップが筆記位置に来る開口部に対する近位位置との間を長穴に沿って移動することができ、本体が、ほぼ平たい形状の筆記用具を形成するように、高さが低い少なくとも１つの側面によって連結された下面および上面を有し、長穴が、上面および下面の一方に形成され、開口部が側面に形成され、ストリップの端部がこの側面に沿って筆記位置と格納位置との間を移動することを特徴とする。
【０００６】
このような構成のために、より使いやすい筆記用具が得られる。なぜなら、使用者は、筆記を行うために前端部を押すときに自然に先端を押出し位置に維持するからである。
【０００７】
さらに、この筆記用具は、有利な人間工学的な特徴を有する。というのは、長穴に沿って移動することができるボタンが、側面よりも大きい寸法の上面および下面の一方の上に配置されるからである。これによって、筆記用具をより容易に取り扱うことができる。
【０００８】
さらに、このような構成のために、この筆記用具は密封性が優れている。なぜなら、側面上に形成された開口部の高さが低く、本体への空気の進入が抑えられ、したがって、先端が乾燥する可能性が抑えられるからである。ストリップの幅も狭く、それによって、ストリップが案内される経路を妨げるかまたは密封を損なう恐れのあるストリップの横方向への変形が抑えられる。
【０００９】
最後に、ストリップは、上面および下面に垂直に配置され、したがって、上面および下面の一方に平行に配置される場合よりも大きい曲率半径を有することができる。これによって、過度に大きい変形応力がストリップにかかるのが防止され、したがって、ストリップが過度に脆弱になるのが防止される。
【００１０】
本発明による筆記用具の様々な実施形態では、さらに以下の構成のうちの１つまたは２つ以上に依存することができる。すなわち、
ボタンは、長穴を通過し、ストリップの始部に垂直なタングによって固定されたラグによって支持体に連結され、
ラグ、タング、およびストリップは、１つの部材として作られ、
上面および下面はほぼ卵形であり、
ボタンは、格納位置で長穴を全体的に覆うのに適した長さにわたってラグから延びる、本体に面する表面を有し、
支持体は、それが筆記位置の方へ移動するときに本体の内壁に当たり、
ストリップの端部は、筆記位置で、筆記用の先端を通過させるように開口部に面するように位置させられる細長い窓を有し、
ストリップの始部は、Ｕの字形に湾曲しており、ボタンを並進させると、ストリップの始部が同じ方向に移動し、ストリップの端部が逆方向に移動し、
ストリップの始部は、中央部に斜めに連結され、ボタンを並進させると、同じ方向に、始部が並進し中央部および端部が移動し、
筆記用の先端はフェルトチップである。
【００１１】
本発明の他の特徴および利点は、添付の図面に関連して、非制限的な例を介して与えられる以下の説明において明らかになろう。
【発明を実施するための最良の形態】
【００１２】
様々な図において、同じ参照番号は同一または同様の部材を示す。
【００１３】
図１は、格納位置における本発明による筆記用具を示している。この筆記用具は、円筒形部材１２で結合させることによって互いに固定されたハーフシェルによって形成された本体１０を有している。本体１０は、上面１０ａ、下面１０ｂ、および厚さ「ｅ」の側面１０ｃを有し、したがって、本体はほぼ平らである。図１に示されているように、上面１０ａおよび下面１０ｂは卵形である。側面１０ｃは、一方の丸い端部の所に、筆記用の先端１６を通過させるための開口部１４を含んでいる。上面１０ａは長穴１８を含んでいる。
【００１４】
この本体は、その内部の横方向部分の一方上に、側面１０ｃの一部によって形成され、一方の端部が開口部１４の両側に延びており、他方の端部が、一方の枝が側面１０ｃに沿って配置されたＵの字形に湾曲している案内部材２０も含んでいる。この案内部材２０は、中空の部材であってよく、一方の壁が本体１０の側面および平行な第２の壁によって形成され、あるいは案内部材２０は、ストリップ２２用のガイドを形成する単一の壁、すなわち、本体の側面１０ｃで形成することができる。
【００１５】
本体１０の内側で、可とう性のストリップ２２は、案内部材２０内を滑り、３つの部分、すなわち、Ｕ字形湾曲案内部材２０の始端部の内側を滑る始部２４と、案内部材２０の、側面１０ｃによって部分的に形成される部分内を滑る中央部２６、案内部材２０の他方の端部の所に配置され、側面１０ｃによって構成される湾曲経路に沿って案内される端部２８を有している。
【００１６】
本体の内側には、筆記用の先端１６が取り付けられ、筆記用の先端１６に連結されたインク容器を含む支持体３２も配置されている。この支持体は、筆記用の先端１６に固定され、したがって、支持体が移動すると、筆記用の先端１６が同じ方向に移動する。この支持体３２は、支持体およびストリップが格納位置に来る開口部１４に対する遠位位置と、支持体３２およびストリップ２２が筆記位置に来る開口部に対する近位位置との間を長穴１８に沿って移動することができる。この支持体３２は、ストリップ２２の始部２４に連結されている。
【００１７】
ボタン３４は、本体１０の上面１０ａに形成された長穴１８内で、格納位置と筆記位置との間を滑る。ボタン３４は、本体の内側の方へ曲げられるラグ３６上に嵌められている。ラグ３６は、ボタン３４の平面に垂直な平面に位置しており、支持体３２内のハウジングを通過すると共に長穴１８を通過している。ボタン３４は、ボタン３４が並進することによって支持体３２とストリップ２２が同時に移動するようにラグ３６に固定されている。
【００１８】
ボタン３４は、格納位置で長穴１８を覆うのに適した長さにわたってラグ３６から延び、長穴とボタンとの間にある程度の密封をもたらす、本体に面する表面を有している。
【００１９】
ストリップ２２の始部は、始部２４に垂直なタング３７を介して、支持体３２および本体の長穴１８を通過するラグ２６に連結されている。有利なことに、ラグ、タング３７、および長穴２２は、１つの部材として作られている。格納位置では、ストリップ２２の端部２８は、開口部１４に面し、開口部１４を閉じている。
【００２０】
筆記用の先端１６の押出しは、ボタン３４が前端部の方へ移動することによって制御され、このことは使用者にとって直感的なものである。さらに、使用者は、筆記を行うために筆記用具を掴むときに、支持体３２を筆記位置や格納位置にロックする手段を設けることが不要になるように、自然にボタン３４を前進位置に維持する。
【００２１】
本発明の動作について以下に説明する。格納位置では、すなわち、筆記用の先端１６が本体内部に配置されると、支持体３２が開口部１４に対して遠位位置に来て、次に、ストリップ２２の端部２８が本体１０の開口部１４を閉鎖する。これは、取外し可能な特性のために容易に失くす恐れがあるキャップを有さない筆記用具が得られるという利点を有する。
【００２２】
この格納位置から、使用者はボタン３４を開口部１４の方へ並進移動させる。この並進によってラグ３６が同じ方向に移動し、すなわち、ラグが長手方向に開口部１４の方へ移動し、筆記用の先端１６を含む支持体３２を同じ方向に運ぶ。ラグ３６はタング３７を介してストリップ２２の始部２４に連結されているため、始部２４は、ボタン３４と同じ方向に移動し、一方、開口部１４の近くに配置されたストリップの端部２８は、逆方向に移動し、すなわち、筆記位置では、端部２８を、筆記用の先端１６に自由に届かせるようにしておく。
【００２３】
筆記用の先端１６が本体１０の外側に来る筆記位置では、支持体３２が本体１０の側面１０ｃに当たる。したがって、長穴１８内のボタン３４の並進移動は制限される。ボタン３４、ラグ３６、および支持体３２は、開口部１４のより近くに位置する。ボタンは、長穴１８内の摩擦または使用者によってのみ筆記位置に維持される。しかし、筆記用の先端１６を使用している間、ボタン３４をこの位置に維持するロック手段を付加してよい。
【００２４】
格納位置に戻るときは、使用者によってボタン３４をその最初の位置に戻し、ラグ３６、支持体３２、したがってストリップ２２を移動させる。ストリップ２２の端部２８は、開口部１４の前方に戻され、格納位置において開口部１４を閉鎖し、かつボタン３４が長穴１８を覆うため、本体１０の内側を確実にある程度密封する。
【００２５】
図３は、本発明による筆記用具の側面図を示している。図示のように、この筆記用具は、比較的薄い厚さ「ｅ」と、平坦な形状のボタン３４とを有している。筆記用の先端１６用の支持体３２は、本体よりも薄い厚さを有しており、本体に挿入することができる。このため、タング３７を介して始部２４に直角に連結されたラグ３６は、本体１０とほぼ等しい高さを有している。
【００２６】
図４に示されている本発明の他の実施形態によれば、タング３７に固定されたストリップ２２の始部２４は、支持体から前方にほぼ直線状に延びており、中央部および端部２８に連続している。したがって、ボタン３４が長手方向に沿って開口部１４の方へ並進すると、始部２４が並進し、したがって、中央部２６および端部２８がボタン３４の並進方向と同じ方向に移動する。
【００２７】
図４では、ストリップ２２の端部２８は、長さが開口部１４より長い、細長い窓３８、たとえば長方形の窓を有し、したがって、先端は、移動する際に開口部１４を通過することができる。窓３８は、筆記位置で開口部１４に面するように移動させられ、格納位置では開口部１４が閉鎖されるように移動させられる。当業者には、この構成を上述の第１の実施形態に適用できることが明らかであろう。
【００２８】
図示の実施形態では、ストリップ２２は、筆記用具の本体の側面１０ｃ上の案内部材２０内に位置している。これらの実施形態は、制限的なものではなく、ストリップ２２は特に、上面１０ａおよび下面１０ｂの内壁上に同様に、すなわち、２つの枝がそれぞれ上面１０ａおよび下面１０ｂに平行であり、ストリップ２２を開口部１４を閉鎖するように案内するＵ字形の湾曲を案内部材２０が有するように位置させることができる。
【００２９】
筆記用の先端１６を閉じられた空間に格納するのを可能にする上述の種類の筆記用具は特に、文章を強調するためのフェルトチップに適用することができる。
【図面の簡単な説明】
【００３０】
【図１】格納位置における、第１の実施形態による筆記用具の概略底面図である。
【図２】筆記位置における筆記用具の図１と同様の図である。
【図３】筆記用具の側面図である。
【図４】第２の実施形態による筆記用具の、第１の実施形態と同様の部分概略図である。
【図１】
2007522976.tif 000003
【図２】
2007522976.tif 000004
【図３】
2007522976.tif 000005
【図４】
2007522976.tif 000006
【国際調査報告】
2007522976.tif 000007
2007522976.tif 000008
2007522976.tif 000009
2007522976.tif 000010